(57)【要約】【課題】片手で操作可能な、小蓋、蓋体、ロック部を一体にした携帯用ケース。【解決手段】本体部１０と底体部２０からなり、本体部は中央に開口部１１１  を有する天壁１１２  の周縁より周壁１１３  が垂設された枠体部１１と周壁の後ろのヒンジ１２を介して連設される開口部を覆う小蓋本体１３１  と小蓋本体の先端に形成されるＵ字状の嵌合部１３２  からなる小蓋部１３からなり、周壁の内側で下端に底体部と嵌合するアンダーカット凸部が形成され小蓋本体の内側に環状凸部２２が形成されＵ字状の嵌合部先端に嵌合凹部１３４  が形成され、底体部は底本体２１と環状底凸部２２と底本体の一方の周縁から外方に延びる第２底本体２３と底側壁２４からなり、環状底凸部の外側にアンダーカット凸部と嵌合可能な底部ロック部が形成され第２底本体の先端に小孔２３１  が穿設され底側壁の先端に底側壁凸部２４１  が形成された構成からなり、環状底凸部の内側と枠体部の周壁の内側を嵌合させて組み立てる。【選択図】図４
2004231245.tif 000002
【特許請求の範囲】
【請求項１】
本体部と底体部とからなり、
前記本体部は、中央に開口部を有する天壁の周縁より下方に向けて周壁が垂設された枠体部と、周壁の後側上端に形成されたヒンジを介して連設される前記枠体部の天壁の開口部を覆う小蓋本体と小蓋本体の先端に形成される縦断面がＵ字状の嵌合部からなる小蓋部とからなり、周壁の内側で下端近傍には底体部と嵌合するアンダーカット凸部が形成され、小蓋本体の内側には天壁の端縁と嵌合する環状凸部が形成され、Ｕ字状の嵌合部の先端には嵌合凹部が形成され、
前記底体部は、底本体と、底本体の周縁に上方に向けて垂設され枠体部の周壁と嵌合される環状底凸部と、底本体の一方の周縁から外方に延びる第２底本体と第２底本体の先端縁から上方に立設された底側壁とからなり、環状底凸部の外側には前記本体部の周壁の内側のアンダーカット凸部と嵌合可能な底部ロック部が形成され、第２底本体の先端縁近傍には小孔が穿設され、底側壁の先端には底側壁凸部が前記縦断面がＵ字状の嵌合凹部と嵌合可能に形成された構成からなり、
底体部の上から本体部を被せるように環状底凸部の内側と枠体部の周壁の内側とを嵌合させて組み立てたことを特徴とする、プラスチック成形容器。
【請求項２】
前記縦断面形状がＵ字状の嵌合部を有する面（前面）とヒンジを有する面（後面）とは角隅の曲率半径を変えて形成したことを特徴とする、請求項１記載のプラスチック成形容器。
【発明の詳細な説明】
【０００１】
【発明の属する技術分野】
本発明は、片手で操作が可能な菓子、医療品、雑貨等を入れる携帯用ケースに関するものである。
【０００２】
【従来の技術】
従来、この種のプラスチック成形品からなる容器は、本体部が小蓋、枠体、ロック部が別々の部品から成り立っており、例えば、小蓋に関していえば、本体とアンダーカット、若しくは金属ピンとの嵌合方式になっているものが主体であった（例えば、特許文献１参照）。
【０００３】
【特許文献１】
特開２００１−４８２１０号公報
【０００４】
【発明が解決しようとする課題】
このため、比較的高価なものになり、さらなるコストダウンが求められていた。
【０００５】
本発明は、本体部と底体部を嵌合させて蓋付きの容器とする片手で操作が可能なプラスチック製の容器に関する以上のような問題に鑑みてなされたもので、小蓋、蓋体、ロック部を一体にした容器を提供することを課題とする。
【０００６】
【課題を解決するための手段】
本発明の請求項１の発明は、本体部と底体部とからなり、前記本体部は、中央に開口部を有する天壁の周縁より下方に向けて周壁が垂設された枠体部と、周壁の後側上端に形成されたヒンジを介して連設される前記枠体部の天壁の開口部を覆う小蓋本体と小蓋本体の先端に形成される縦断面がＵ字状の嵌合部からなる小蓋部とからなり、周壁の内側で下端近傍には底体部と嵌合するアンダーカット凸部が形成され、小蓋本体の内側には天壁の端縁と嵌合する環状凸部が形成され、Ｕ字状の嵌合部の先端には嵌合凹部が形成され、前記底体部は、底本体と、底本体の周縁に上方に向けて垂設され枠体部の周壁と嵌合される環状底凸部と、底本体の一方の周縁から外方に延びる第２底本体と第２底本体の先端縁から上方に立設された底側壁とからなり、環状底凸部の外側には前記本体部の周壁の内側のアンダーカット凸部と嵌合可能な底部ロック部が形成され、第２底本体の先端縁近傍には小孔が穿設され、底側壁の先端には底側壁凸部が前記縦断面がＵ字状の嵌合凹部と嵌合可能に形成され、た構成からなり、底体部の上から本体部を被せるように環状底凸部の内側と枠体部の周壁の内側とを嵌合させて組み立てたことを特徴とする、プラスチック成形容器である。
【０００７】
このように請求項１記載の発明によれば、本体部は、中央に開口部を有する天壁の周縁より下方に向けて周壁が垂設された枠体部と、周壁の後側上端に形成されたヒンジを介して連設される前記枠体部の天壁の開口部を覆う小蓋本体と小蓋本体の先端に形成される縦断面がＵ字状の嵌合部からなる小蓋部とからなり、周壁の内側で下端近傍には底体部と嵌合するアンダーカット凸部が形成され、小蓋本体の内側には天壁の端縁と嵌合する環状凸部が形成され、Ｕ字状の嵌合部の先端には嵌合凹部が形成された構造から成るので、一体成形が可能である。
【０００８】
また、請求項２の発明は、請求項１の発明において、前記縦断面形状がＵ字状の嵌合部を有する面（前面）とヒンジを有する面（後面）とは角隅の曲率半径を変えて形成したことを特徴とする、プラスチック成形容器である。
【０００９】
このように請求項２記載の発明によれば、縦断面形状がＵ字状の嵌合部を有する面（前面）とヒンジを有する面（後面）とは角隅の曲率半径を変えて形成しているので、プラスチック成形容器の前側と後側の区別が容易に判別できる。
【００１０】
【発明の実施の形態】
以下、本発明のプラスチック成形容器の実施形態を図面に基づいて詳細に説明する。
本発明のプラスチック成形容器は、例えば図１、図２、図３、図４に示すように、本体部（１０）と底体部（２０）から構成され、通常では、ポリプロピレンなどの剛性を有する熱可塑性樹脂を射出成形して作製するものである。
【００１１】
本体部（１０）は、中央に開口部（１１１）を有する天壁（１１２）の周縁より下方に向けて周壁（１１３）が垂設された枠体部（１１）と、周壁（１１３）の後側上端に形成されたヒンジ（１２）を介して連設される枠体部（１１）の天壁の開口部を覆う小蓋本体（１３１）と小蓋本体の先端に形成される縦断面がＵ字状の嵌合部（１３２）からなる小蓋部（１３）とから構成されている。
このように枠体部（１１）と小蓋部（１３）とはヒンジ（１２）で連なっており、一体成形で形成されている。
【００１２】
なお、小蓋本体（１３１）の表面には、必要に応じて、直接印刷する、あるいはラベルを貼る等の手段を講じて印刷表示層を設けることができる。
【００１３】
周壁（１１３）の内側で下端近傍には、後記する底本体（２１）と嵌合するアンダーカット凸部（１１４）が形成されている。
小蓋本体（１３１）の内側には、天壁の端縁と嵌合する環状凸部（１３３）が形成されている。
また、縦断面がＵ字状の嵌合部（１３２）の先端には、嵌合凹部（１３４）が形成されている。
【００１４】
底体部（２０）は、底本体（２１）と、底本体の周縁に上方に向けて垂設され枠体部（１１）の周壁（１１３）と嵌合される環状底凸部（２２）と、底本体（２１）の一方の周縁から外方に延びる第２底本体（２３）と、第２底本体の先端縁から上方に立設される底側壁（２４）とから構成されている。
【００１５】
そして、環状底凸部（２２）の外側には、枠体部（１１）の周壁（１１３）の内側のアンダーカット凸部（１１４）と嵌合可能な底部ロック部（２２１）が形成されている。
第２底本体（２３）の先端縁近傍には、小孔（２３１）が穿設されている。
また、底側壁（２４）の先端には、底側壁凸部（２４１）が縦断面がＵ字状の嵌合部（１３２）に形成された嵌合凹部（１３４）と嵌合可能に形成されている。
【００１６】
周壁（１１３）の内側で下端近傍に形成されるアンダーカット凸部（１１４）と、環状底凸部（２２）の外側に形成される底部ロック部（２２１）との関係は、図６（ａ）の形態に限定されるものではなく、図６（ｂ）のような形状にしても構わない。
【００１７】
このような構成からなる本体部（１０）と底体部（２０）とを、底体部（２０）の上から本体部（１０）を被せるようにして環状底凸部（２２）の内側の底部ロック部（２２１）と枠体部の周壁（１１３）の内側のアンダーカット凸部（１１４）とを嵌合させて組み立て、本発明のプラスチック成形容器（１）とする。
【００１８】
このプラスチック成形容器（１）の使用方法について詳述する。
小蓋部（１３）の嵌合部（１３２）の先端部分を容器の内方に押すことにより、Ｕ字形状に形成してあるため弾性力が生じ、嵌合凹部（１３４）と底側壁凸部（２４１）の嵌合が外れて開放可能になる。
【００１９】
嵌合部（１３２）の先端部分を持って上方に引っ張ると、枠体部の天壁（１１２）に嵌合されていた小蓋部の小蓋本体（１３）の内側に形成されている環状凸部（１３３）が外れて小蓋部（１３）はヒンジ（１２）を支持軸にして開放され開口部（１１１）が露出し、内容物（３０）が容易に取り出し可能になる（図２、図５  参照）。
【００２０】
内容物（３０）を取り出した後、小蓋部（１３）を下方に押し付けることにより、小蓋部（１３）は閉まり、小蓋本体の環状凸部（１３３）が天壁（１１２）の周縁にロックされると共に、Ｕ字状の嵌合部の嵌合凹部（１３４）が底側壁の底側壁凸部（２４１）と嵌合封止され、開口部（１１１）は閉鎖され開かなくなる（図４参照）。
【００２１】
【発明の効果】
上記のように、本発明の片手で操作が可能なプラスチック容器は、本体部、小蓋、ロック部を一体にして成形することにより、コスト低減が可能になり、機能的にも十分な容器となり、菓子等の食品以外にも医療品、雑貨類等の容器として使用可能になった。
【図面の簡単な説明】
【図１】本発明のプラスチック容器の一実施例を示す、斜視説明図である。
【図２】図１のプラスチック容器の小蓋部を開放した状態を示す、斜視説明図である。
【図３】本発明のプラスチック容器の一実施例を示す、平面説明図である。
【図４】本発明のプラスチック容器の一実施例を示す、断面説明図である。
【図５】図４のプラスチック容器の小蓋部を開放した状態を示す、断面説明図である。
【図６】（ａ）、（ｂ）は、本体部の周壁と底体部の環状底凸部の嵌合状態を示す、部分拡大説明図である。
【符号の説明】
１‥‥プラスチック成形容器
１０‥‥本体部
１１‥‥枠体部
１１１‥‥開口部
１１２‥‥天壁
１１３‥‥周壁
１１４‥‥アンダーカット凸部
１２‥‥ヒンジ
１３‥‥小蓋部
１３１‥‥小蓋本体
１３２‥‥Ｕ字状の嵌合部
１３３‥‥環状凸部
１３４‥‥嵌合凹部
２０‥‥底体部
２１‥‥底本体
２２‥‥環状底凸部
２２１‥‥底部ロック部
２３‥‥第２底本体
２３１‥‥小孔
２４‥‥底側壁
２４１‥‥底側壁凸部
３０‥‥内容物
【図１】
2004231245.tif 000003
【図２】
2004231245.tif 000004
【図３】
2004231245.tif 000005
【図４】
2004231245.tif 000006
【図５】
2004231245.tif 000007
【図６】
2004231245.tif 000008